(57)【要約】【課題】  施工が容易で簡単な構成で、良好な止水性を得ることのできる地下コンクリート構造物の継手構造を提供する。【解決手段】  継手部２０は、両函体１１，１１′の外周縁にそれぞれ形成された継手斜面１１Ａ，１１Ａ′によって囲まれた断面形状三角形の継手空間１２の内部に、両継手斜面１１Ａ，１１Ａ′を連結する止水ゴム２１が配設されると共に、少なくとも函体の下面側において止水ゴムの外周側の空間を埋める保持充填部材２２が配設され、更に、隣接対向する函体１１，１１′の端面間に目地材２４が介装されて構成されている。【選択図】  図２
2006144534.tif 000002
【特許請求の範囲】
【請求項１】
地下コンクリート構造物の延設方向に所定間隔で設けられて内外の止水を保ちつつ両側のコンクリート構造物を相対変位可能に連結する継手構造であって、
対向する前記コンクリート構造物の外周縁にそれぞれ形成された所定角度の継手斜面に囲まれた外周側に広がる断面形状三角形の継手空間内に、前記対向する継手斜面を連結する可撓止水部材と、前記コンクリート構造物の少なくとも下面側において該可撓止水部材の外周側の空間を埋める保持充填部材とを備え、
前記可撓止水部材は、Ｕ字状の屈曲部の両外縁から左右にそれぞれ所定幅の固定板部が前記継手斜面と対応する角度で斜めに延設された断面形状として弾性素材によって形成されて、前記左右の固定板部がそれぞれ接着部材を介して前記継手斜面に接着されて設けられ、
前記保持充填部材は、内面が前記可撓止水部材の外面と略合致し、外面が前記コンクリート構造物の外面と略面一となる断面形状として弾性素材によって形成されていることを特徴とする地下コンクリート構造物の継手構造。
【請求項２】
上記可撓止水部材の固定板部の先端縁は、外面が所定勾配の斜めで肉厚が徐々に薄くなるリップ部となっていることを特徴とする請求項１に記載の地下コンクリート構造物の継手構造。
【請求項３】
前記コンクリート構造物の少なくとも下面側において、可撓止水部材ずれ防止用のピンが、その一部が前記可撓止水部材の前記左右の固定板部に周方向に所定の間隔で形成されたピン挿入孔に挿入固定され、残部が前記継手斜面の内側の前記コンクリート構造物に固定されるようにして設けられていることを特徴とする請求項１または２記載の地下コンクリート構造物の継手構造。
【請求項４】
前記コンクリート構造物の少なくとも下面側において、前記可撓止水部材の前記左右の固定板部から継手斜面側に突出するようにして周方向に延長する板状の基部と該基部の先端に形成された膨出部を備える可撓止水部材ずれ防止用の板状アンカー部が前記左右の固定板部と一体的に形成されていることを特徴とする請求項１〜３のいずれかに記載の地下コンクリート構造物の継手構造。
【請求項５】
前記板状アンカー部には周方向に所定の間隔で空気抜き用の切欠部が形成されていることを特徴とする請求項４記載の地下コンクリート構造物の継手構造。
【請求項６】
前記可撓止水部材の前記屈曲部はその屈曲した先端部近傍の厚みよりもその反対端部側の厚みが大きいことを特徴とする請求項１〜５のいずれかに記載の地下コンクリート構造物の継手構造。
【請求項７】
上記地下コンクリート構造物を構築するコンクリート打設前に、対向する一方のコンクリート構造物の端面を形成する妻型枠に上記屈曲部を被せて上記可撓止水部材を予め所定位置に配置すると共に、その外周側に上記保持充填部材を配置し、その後コンクリートを打設して、前記可撓止水部材の固定板部によって上記継手斜面を形成することを特徴とする請求項１〜６のいずれかに記載の地下コンクリート構造物の継手構造の施工方法。
【発明の詳細な説明】
【技術分野】
【０００１】
本発明は、共同溝等の地下コンクリート構造物の延設方向に所定間隔で設けられて内外の止水を保ちつつ両側のコンクリート構造物を相対変位可能に連結する継手構造とその施工方法に関する。
【背景技術】
【０００２】
例えば共同溝等の地中に構築される暗渠等の地下コンクリート構造物は、その延設方向に所定間隔毎で継手が介設され、内外を止水しつつその両側のコンクリート構造物の温度変化等に起因する伸縮等の相対変位を許容するように構成される。
【０００３】
このような継手構造としては、例えば、特許文献１に開示のごとくコンクリート構造物の対向する端面間に止水板を介設したもの、特許文献２に開示のごとくコンクリート構造物の対向端部にそれぞれ設けられた枠体の内周部の間にゴム・合成樹脂等の弾性材による可撓止水部材を水密的に取り付けたもの等がある。
【０００４】
特許文献１に示される止水板はコンクリート構造物を構築する際にコンクリートに打ち込まれ、また、特許文献２における枠体も一体に設けられたアンカーボルトがコンクリート打設時に打ち込まれて固定される。
【特許文献１】特開平９−１４４１４８号公報
【特許文献２】特開平１０−８８６４７号公報
【発明の開示】
【発明が解決しようとする課題】
【０００５】
しかしながら、特許文献１の止水板や特許文献２における枠体のアンカーボルトは、壁厚の中央又は内周側に配置されるため、コンクリート打設の際にその周囲の空気が抜けにくく、周囲に空気溜まりやジャンカを生じ易いという問題があった。その確認は困難で、万一空気溜まりやジャンカが生ずるとそこを伝って水漏れし、止水性が破綻する虞がある。
【０００６】
本発明は、上記問題に鑑みてなされたものであって、簡単な構成で、良好な止水性を得ることのできる地下コンクリート構造物の継手構造とその施工方法を提供することを目的とする。
【課題を解決するための手段】
【０００７】
上記目的を達成する請求項１に係る発明の地下コンクリート構造物の継手構造は、地下コンクリート構造物の延設方向に所定間隔で設けられて内外の止水を保ちつつ両側のコンクリート構造物を相対変位可能に連結する継手構造であって、対向する前記コンクリート構造物の外周縁にそれぞれ形成された所定角度の継手斜面に囲まれた外周側に広がる断面形状三角形の継手空間内に、前記対向する継手斜面を連結する可撓止水部材と、前記コンクリート構造物の少なくとも下面側において該可撓止水部材の外周側の空間を埋める保持充填部材とを備え、前記可撓止水部材は、Ｕ字状の屈曲部の両外縁から左右にそれぞれ所定幅の固定板部が前記継手斜面と対応する角度で斜めに延設された断面形状として弾性素材によって形成されて、前記左右の固定板部がそれぞれ接着部材を介して前記継手斜面に接着されて設けられ、前記保持充填部材は、内面が前記可撓止水部材の外面と略合致し、外面が前記コンクリート構造物の外面と略面一となる断面形状として弾性素材によって形成されていることを特徴とする。
【０００８】
この構成では、可撓止水部材の固定板部の接着部材による継手斜面への接着によって止水すると共に、作用する外水圧が固定板部を継手斜面に押圧して止水する。両側のコンクリート構造物の離間変位時には、止水状態を保って屈曲部が弾性変形する。
【０００９】
請求項２に係る発明は、上記可撓止水部材の固定板部の先端縁は、外面が所定勾配の斜めで肉厚が徐々に薄くなるリップ部となっていることを特徴とする。
【００１０】
この構成により、リップ部が外水圧によって継手斜面により一層密着して大きな止水効果が得られる。
【００１１】
請求項３に係る発明は、前記コンクリート構造物の少なくとも下面側において、可撓止水部材ずれ防止用のピンが、その一部が前記可撓止水部材の前記左右の固定板部に周方向に所定の間隔で形成されたピン挿入孔に挿入固定され、残部が前記継手斜面の内側の前記コンクリート構造物に固定されるようにして設けられていることを特徴とする。
【００１２】
請求項４に係る発明は、前記コンクリート構造物の少なくとも下面側において、前記可撓止水部材の前記左右の固定板部から継手斜面側に突出するようにして周方向に延長する板状の基部と該基部の先端に形成された膨出部を備える可撓止水部材ずれ防止用の板状アンカー部が前記左右の固定板部と一体的に形成されていることを特徴とする。
【００１３】
請求項５に係る発明は、前記板状アンカー部には周方向に所定の間隔で空気抜き用の切欠部が形成されていることを特徴とする。
【００１４】
請求項６に係る発明は、前記可撓止水部材の前記屈曲部はその屈曲した先端部近傍の厚みよりもその反対端部側の厚みが大きいことを特徴とする。
【００１５】
請求項７に係る発明は、上記継手構造の施工方法として、上記地下コンクリート構造物を構築するコンクリート打設前に、対向する一方のコンクリート構造物の端面を形成する妻型枠に上記屈曲部を被せて上記可撓止水部材を予め所定位置に配置すると共に、その外周側に上記保持充填部材を配置し、その後コンクリートを打設することを特徴とする。
【００１６】
この施工方法によれば、可撓止水部材の固定板部が型枠として機能して、継手斜面を形成する。
【発明の効果】
【００１７】
請求項１の発明の地下コンクリート構造物の継手構造によれば、対向するコンクリート構造物の連結外周部位に形成された外周側に広がる断面形状三角形の継手空間内に前記コンクリート構造物の少なくとも下面側において可撓止水部材とその外周側の空間を埋める保持充填部材とが配設され、可撓止水部材の固定板部は接着部材によって継手斜面に接着されていることにより、固定板部の継手斜面への接着と、外水圧による固定板部の継手斜面への圧接とで二重の止水効果が得られ、良好に止水することができ、両側のコンクリート構造物の離間変位に際しては可撓止水部材の屈曲部の弾性変形によって止水状態を保って追従することができる。また、継手斜面は外周側に広がる方向の傾斜面であるためにコンクリート打設時に空気の抜けが良くジャンカの発生を抑えることができ、可撓止水部材の固定板部と密着性が良く良好な止水性を得ることができる。更に、継手斜面は外周側に開放しているために外周側からその面状態を確認することもでき、必要があれば補修することも可能である。即ち、簡単な構成で、良好な止水性を得ることのできるものである。
【００１８】
また、請求項２の発明によれば、可撓止水部材の固定板部の先端のリップ部が外水圧によって継手斜面に密着し易く、より良好な止水性を得ることができる。
【００１９】
また、請求項３の発明によれば、前記コンクリート構造物の少なくとも下面側において可撓止水部材ずれ防止用のピンが、その一部が前記可撓止水部材の前記左右の固定板部に周方向に所定の間隔で形成されたピン挿入孔に挿入固定され、残部が前記継手斜面の内側の前記コンクリート構造物に固定されるようにして設けられているので、対向するコンクリート構造物間の変位により固定部にかかる引張力に抵抗し接着部材に生じる剪断力を低減し可撓止水部材の継手斜面に対するずれを防止することができ、止水をより一層確実なものとすることができる。
【００２０】
また、請求項４の発明によれば、コンクリート構造物の少なくとも下面側において、前記可撓止水部材の前記左右の固定板部から継手斜面側に突出するようにして周方向に延長する板状の基部と該基部の先端に形成された膨出部を備える可撓止水部材ずれ防止用の板状アンカー部が前記左右の固定板部と一体的に形成されているので、対向するコンクリート構造物間の変位により固定部にかかる引張力に抵抗し接着部材に生じる剪断力を低減する効果が前記ピンによるずれ防止構造よりもさらに高く可撓止水部材の継手斜面に対するずれ防止を一層確実にすることができ、止水をより一層確実なものとすることができる。
【００２１】
また、請求項５の発明によれば、前記板状アンカー部には周方向に所定の間隔で空気抜き用の切欠部が形成されているので、板状アンカー部の周囲に空気溜りが形成されることを有効に防止することができる。
【００２２】
また、可撓止水部材に大きな外水圧がかかった場合には、可撓止水部材の屈曲部が反転することにより固定部にかかる引張り力が増大し接着部材にかかる剪断力が増大するが、請求項６の発明によれば、可撓止水部材の屈曲部はその屈曲した先端部近傍の厚みよりもその反対端部側の厚みが大きいので、可撓止水部材に大きな外水圧がかかった場合でも屈曲部が反転しづらく、したがって、固定部にかかる引張り力の増大を防止することができ、可撓止水部材の継手斜面に対するずれ防止を一層確実にすることができ、止水をより一層確実なものとすることができる。
【００２３】
更に、請求項７に係る上記継手構造の施工方法によれば、地下コンクリート構造物を構築するコンクリート打設前に、対向する一方のコンクリート構造物の端面を形成する妻型枠に屈曲部を被せて可撓止水部材を予め所定位置に配置すると共に、その外周側に保持充填部材を配置し、その後コンクリートを打設することにより、可撓止水部材の固定板部が型枠として作用して継手斜面を形成することができるため、極めて容易に施工できるものである。
【発明を実施するための最良の形態】
【００２４】
以下、添付図面を参照して本発明を実施するための最良の形態について説明する。  
図１は本発明に係る地下コンクリート構造物の継手構造の一構成例を適用した地下コンクリート構造物である共同溝の斜視図，図２は図１のＡ−Ａ断面図である。
【００２５】
コンクリート構造物である共同溝１０は、断面形状が矩形で所定長さの函体１１，１１′が、本発明における継手構造の一構成例である継手部２０で連結されて構成されており、開削工法によって均しコンクリート１（図１には示さず）の上面に現場打ちによって所定長さ毎（函体毎）に継手部２０を介設して打ち継がれて構築され、完成後は所定深さの地中に埋め戻されるものである。
【００２６】
継手部２０は、図２のＸ部拡大図（下面側の拡大断面図）である図３（Ａ）に示すように、両函体１１，１１′の外周縁にそれぞれ面取り状に形成された継手斜面１１Ａ，１１Ａ′に囲まれた外周側に広がる断面形状三角形の継手空間１２の内部に、両継手斜面１１Ａ，１１Ａ′を連結する可撓止水部材としての止水ゴム２１が配設されると共に、その外周側に保持充填部材２２が配設され、更に、隣接対向する函体１１，１１′の端面間に例えば鉄板にゴムライニングを施した目地材２４が介装されて構成されている。また、この継手部２０の外周は、設置面である均しコンクリート１と接する下面を除いて保護板２５によって覆われている。
【００２７】
函体１１，１１′の外周縁に形成された継手斜面１１Ａ，１１Ａ′の角度は、本構成例では４５°に設定されており、従って、継手空間１２の頂角は９０°となっている。尚、この角度は適宜変更可能なものであるが、コンクリート打設時に空気が抜け易く空気溜まりやジャンカの発生を防ぐためには６０°−１５０°の範囲が好ましい。
【００２８】
止水ゴム２１は、図４にその単体の断面図を示すように、内面側（図４中上側）に開放する断面形状Ｕ字状の屈曲部２１Ａの左右両端縁から、それぞれ所定幅の固定板部２１Ｂが斜め外周側（図４中下側）に延設された形状に、ゴム・合成樹脂等の可撓性素材によって形成されている。屈曲部２１Ａの内部所定幅で所定深さのスリット部２１Ｓとなっている。また、左右の固定板部２１Ｂは、継手空間１２の頂角と等しい角度（９０°）で外面側（図４中下側）に開くＶ字状を成しており、その先端は外周側の傾斜面で先鋭化したリップ部２１Ｌとなっている。当該止水ゴム２１は、このリップ部２１Ｌを除いて全体が略均一な肉厚に形成されている。
【００２９】
このような止水ゴム２１は、図３（Ａ）に示すようにその左右の固定板部２１Ｂの内面（図３及び図４中上側の面）が、それぞれ接着部材としての非加硫のブチルゴムシート２３を介して両側の函体１１，１１′の継手斜面１１Ａ，１１Ａ′に接着され両側の函体１１，１１′を繋ぎ、また、目地材２４は両面ブチルシートで被覆して函体１１、１１′を繋いでいる。尚、固定板部２１Ｂの継手斜面１１Ａ，１１Ａ′への接着はブチルゴムシートに限らず、他の接着剤によっても良い。
【００３０】
保持充填部材２２は、図５（Ａ）にその単体の断面図を示すように、内面は止水ゴム２１の外面側の凹凸と略対応する形状で、外面は内面２２Ａが止水ゴム２１の外面に嵌った状態で函体１１，１１′の外面と面一と成る平面状に、スポンジゴム等の弾性素材によって形成されている。即ち、内面には、左右に止水ゴム２１の屈曲部２１Ａと固定板部２１Ｂの間に嵌る凸部２２Ａが突設されてその間に止水ゴム２１の屈曲部２１Ａが嵌る凹部２２Ｂが形成されているものである。尚、その形成は、型によって一体成形しても、図５（Ｂ）に示すように基板部２２′と凸部２２Ａとを別個に形成して接着しても何れでも良いものである。
【００３１】
上記のごとき構成の継手部２０は、止水ゴム２１の左右の固定板部２１Ｂがそれぞれ両側の函体１１，１１′の継手斜面１１Ａ，１１Ａ′にブチルゴムシート２３で接着されて、函体１１，１１′の間を止水する。また、外部から作用する外水圧は、固定板部２１Ｂを継手斜面１１Ａ，１１Ａ′に押圧して密着させ、より一層止水性を高める。つまり、ブチルゴムシート２３による接着と、外水圧による圧接によって二重の止水効果を得ることができるようになっているものである。
【００３２】
継手斜面１１Ａ，１１Ａ′は外周側に広がる方向の傾斜面であるためにコンクリート打設時に空気の抜けが良くジャンカの発生を抑えることができ、固定板部２１Ｂと密着性が良く良好な止水性を得ることができる。また、外周側からその面状態を確認することもでき、必要があれば補修することも可能である。
【００３３】
両側の函体１１，１１′の離間変位に際しては、図３（Ｂ）に示すように、止水ゴム２１の屈曲部２１Ａが伸展することで止水性を保ってこれを許容する。この時、弾性素材によって形成された保持充填部材２２も共に変形するため、止水ゴム２１の伸展変形を妨げることはない。
【００３４】
次に、上記のごとき継手部２０を構成する施工方法を説明する。まず、図２と対応する施工途中の図である図６に示すように、前工程の函体１１の内型枠１３に固定されて端面を形成する妻型枠１４を、止水ゴム２１のスリット部２１Ｓに嵌め込んで、妻型枠１４によって止水ゴム２１を支持させると共に、その外周側に保持充填部材２２を被せ、更に、上面及び側面はその外周を外型枠１５で押さえる（下面は均しコンクリート１の上面に載置された状態となるので不要）。
【００３５】
これによって止水ゴム２１は移動不能となり、この状態でコンクリートを打設することで函体１１を構築し、その後、妻型枠１４を外し、ここに目地材２４を硬化したコンクリート面に接着して妻型枠とし、次いで型枠１３を外して函体１１’の同じ位置に設置して函体１１′を打ち継ぐ。そして、コンクリートが硬化して外型枠１５を外した後、下面を除く継手部２０の外面に土砂の侵入を防ぐ保護板２５を設けるものである。
【００３６】
このような施工方法により、止水ゴム２１の固定板部２１Ｂが型枠として機能して函体１１，１１′の継手斜面１１Ａ，１１Ａ′を形成するため、別途型枠によって継手斜面１１Ａ，１１Ａ′を形成した後、止水ゴム２１及び保持充填部材２２を装着する手間がなく、作業性が良いものである。特に、下面側は、均しコンクリート１に保持充填部材２２と止水ゴム２１を載置するのみで良く、極めて作業性に優れる。この下面側の継手斜面１１Ａ，１１Ａ′の面状態を確認することはできないが、止水ゴム２１の固定板部２１Ｂは所定角度（６０°−１５０°）の山形を呈するため、当該固定板部２１Ｂによって形成する継手斜面１１Ａ，１１Ａ′に空気溜まりやジャンカを生じさせることがなく、固定板部２１Ｂと継手斜面１１Ａ，１１Ａ′とが密着して良好な止水性を得ることができるものである。
【００３７】
尚、函体１１，１１′の上面および側面に関しては、前述のように止水ゴム２１の固定板部２１Ｂによって継手斜面１１Ａ，１１Ａ′を形成することなく、図７に示すように外型枠１５に固定した継手空間型１６によって継手斜面１１Ａ，１１Ａ′を形成し、コンクリート打設後に外型枠１５、妻型枠１４、型枠１３及び継手空間型１６を外して継手斜面１１Ａ，１１Ａ′の表面の確認及び必要な場合には手直しを行った後、止水ゴム２１を装着しても良い。この場合上面および側面には保持充填部材２２は装着せず、そのかわりに砂を充填すればよい。この実施形態においても、継手空間１２は外周側に開放するため、外側から容易に作業が行える。
【００３８】
更に、継手斜面１１Ａ，１１Ａ′の形成方法として、図８に完成状態の断面図を示すように、函体１１，１１′の打設の際に継手斜面１１Ａ，１１Ａ′の形成部位を所定の大きさに箱抜きし（箱抜き部１７）、そこに型枠を設けてモルタル１８を充填して継手斜面１１Ａ，１１Ａ′を形成した後止水ゴム２１を装着してもよい。この場合も上面および側面には保持充填部材２２は装着せず、そのかわりに砂２８を充填すればよい。この実施形態によれば極めて平滑な継手斜面１１Ａ，１１Ａ′を形成でき止水ゴム２１の固定板部２１Ｂと密着して良好な止水性が得られるものである。
【００３９】
図９は本発明の他の実施形態を示す図３（Ａ）と同様の継手部の拡大図である。この実施形態において、図３の実施形態の同一構成要素は同一符号で示し、その説明を省略する。
【００４０】
図９の実施形態においては、可撓止水部材ずれ防止用のピン２６が設けられている。各ピン２６は鋼材又はプラスチック材でできており、その一部は、止水ゴム２１の左右の固定板部２１Ｂに周方向に所定の間隔で形成されたピン挿入孔２７に挿入され、ピン２６に塗られた接着剤によりピン挿入孔２７に固定されている。またピン２６の残部は、継手斜面１１Ａ,１１Ａ′内側の函体１１、１１′に固定されている。
【００４１】
この実施形態の継手を施工する場合は、止水ゴム２１にピン挿入孔２７を形成しておき、ピン２６に接着剤を塗りピン挿入孔２７に挿入した後ブチルゴムシート２３を貼り、ピン２６が挿入された状態でコンクリートの打設を行う。
【００４２】
なお、図３の実施形態においては、ピン２６は函体の下面側のみならず上面側および側面側、すなわち函体の全周にわたり取付けることができるが、図７および図８の実施形態においては、可撓止水部材を配置する前にコンクリートを打設するので、函体の上面側および側面側にはピン２６を取付けることはできず、コンクリートを打設しない函体の下面側にのみ取付けることができる。
【００４３】
図１０は本発明の継手の他の実施形態を示す拡大図であり、図１１はこの継手をブチルゴムシート２３を取り外した状態で継手軸方向に見た側面図である。
【００４４】
この継手においては、止水ゴム２１の左右の固定板部２１Ｂから継手斜面側に突出するようにして周方向に延長する板状の基部２９Ａと該基部の先端に形成された断面多角形状の膨出部２９Ｂを備える可撓止水部材ずれ防止用の板状アンカー部２９が左右の固定板部２１Ｂと一体的に形成されている。図１１に示すように、板状アンカー部２９には周方向に所定の間隔で空気抜き用の切欠部２９Ｃが形成されている。
【００４５】
この実施形態においては、板状アンカー部２９には膨出部２９Ｂが形成されているので、対向するコンクリート構造物間の変位により固定部にかかる引張力に抵抗し接着部材に生じる剪断力を低減する効果が前記ピンによるずれ防止構造よりも高く、屈曲部が外水圧により反転して固定部に大きな引張力が作用した場合でも板状アンカー部２９が抜け出すことがなく、止水ゴム２１の継手斜面１１Ａ、１１Ａ′に対するずれを一層確実に防止することができ、止水をより一層確実なものとすることができる。また、板状アンカー部２９には周方向に所定の間隔で空気抜き用の切欠部２９Ｃが形成されているので、板状アンカー部２９周辺に空気溜りが発生することを有効に防止することができ、止水ゴム２１の固定部２１Ｂと傾斜斜面１１Ａ，１１Ａ′との密着性を向上させることができる。
【００４６】
図１２は図１１の実施形態の変更例を示す図である。この実施形態においても、図１０の実施形態同様に、板状の基部３０Ａと膨出部３０Ｂからなる板状アンカー部３０が固定部２１Ｂと一体的に形成されているが、この板状アンカー部３０においては、膨出部３０Ｂは断面円形であり、また図１１の断面多角形の膨出部２９Ｂよりも大径に形成されている。この膨出部３０Ｂは断面円形であるので押し出し成形で作りやすくかつ仕上がりがよいという長所があり、また大径に作られているので引き抜きに対する抵抗力も大きく、アンカー部３０の抜け出しを有効に防止することができる。
【００４７】
なお、板状アンカー部の膨出部は図１０、１２に示す断面形状のほか楕円形等種々の形状に成形することができる。
【００４８】
また、この実施形態においては、止水ゴム２１の屈曲部２１Ａはその屈曲した先端部近傍の厚みｔ２よりもその反対端部側（根本側）の厚みｔ１が大きくなるように先端屈曲部からその反対端部側に向けて厚みが漸増するように形成されている。この構成により、止水ゴム２１に大きな外水圧がかかった場合でも屈曲部２１Ａが反転しづらく、したがって、固定部２１Ｂにかかる引張り力の増大を防止することができ、止水ゴム２１の継手斜面１１Ａ、１１Ａ′に対するずれを一層確実に防止することができ、止水をより一層確実なものとすることができる。なお、この構成は図１２の実施形態のみならず、図３等他の実施形態の止水ゴム２１に適用しても同様の効果を挙げることができる。
【図面の簡単な説明】
【００４９】
【図１】図１は本発明係る地下コンクリート構造物の継手構造の一構成例を適用した地下コンクリート構造物である共同溝の斜視図である。
【図２】図１のＡ−Ａ断面図である。
【図３】（Ａ）は図２のＸ部に相当する継手部の拡大図，（Ｂ）はそれから函体が離間変位した状態を示す図である。
【図４】止水ゴムの断面図である。
【図５】（Ａ）は保持充填部材の断面図，（Ｂ）はその分解図である。
【図６】施工工程を示す共同溝の断面図である。
【図７】他の継手斜面の形成方法を示す断面図である。
【図８】他の方法によって形成された継手斜面による継手部の断面図である。
【図９】本発明の他の実施形態の継手部の拡大図である。
【図１０】本発明の他の実施形態の継手部の拡大図である。
【図１１】図１０の実施形態を継手軸方向に見た側面図である。
【図１２】本発明の他の実施形態の継手部の拡大図である。
【符号の説明】
【００５０】
１０  共同溝（地下コンクリート構造物）
１１，１１′  函体
１１Ａ，１１Ａ′  継手斜面
１２  継手空間
１４  妻型枠
２０  継手部
２１  止水ゴム（可撓止水部材）
２１Ａ  屈曲部
２１Ｂ  固定板部
２１Ｌ  リップ部
２２  保持充填部材
２６  可撓止水部材ずれ防止用のピン
２９、３０  板状アンカー部
【図１】
2006144534.tif 000003
【図２】
2006144534.tif 000004
【図３】
2006144534.tif 000005
【図４】
2006144534.tif 000006
【図５】
2006144534.tif 000007
【図６】
2006144534.tif 000008
【図７】
2006144534.tif 000009
【図８】
2006144534.tif 000010
【図９】
2006144534.tif 000011
【図１０】
2006144534.tif 000012
【図１１】
2006144534.tif 000013
【図１２】
2006144534.tif 000014